【事件の表示】
　特願２００４−２９４９９９「画像データ出力装置、画像データ出力方法、および画像データ出力プログラム」拒絶査定不服審判事件〔平成１８年　４月２０日出願公開、特開２００６−１０９２４３、請求項の数（１３）〕について、次のとおり審決する。
【結　論】
　原査定を取り消す。
　本願の発明は、特許すべきものとする。
【理　由】
１．本願発明
　本願の請求項に係る発明は、平成２１年２月６日付け手続補正書により補正された明細書の特許請求の範囲の請求項１ないし１３に記載された次のとおりのものである。
　
「　　【請求項１】
　入力された画像データの属性情報を取得する第１のデータ情報取得手段と、
　画像データを記憶する複数の第１の記憶領域と、
　第１の記憶領域のそれぞれに対して、画像データを仕分けして記憶するための仕分け特性を設定する設定手段と、
　前記入力された画像データを、前記第１のデータ情報取得手段により取得された属性情報に基づいて、属性情報に対応する前記仕分け特性が設定された第１の記憶領域に記憶させる第１のデータ記憶制御手段と、
　各第１の記憶領域に記憶された画像データを前記各第１の記憶領域に対応して記憶する第２の記憶領域と、
　前記第２の記憶領域に対して、画像データを出力する順序を設定する順序設定手段と、
　前記第１の記憶領域に記憶された画像データの、前記順序設定手段による設定に対応する属性情報を取得する第２のデータ情報取得手段と、
　前記第１の記憶領域から画像データを取得し、当該画像データを、前記第２のデータ情報取得手段の取得した属性情報に基づいて、前記順序設定手段により設定された順序に対応させて前記第２の記憶領域に記憶させる第２のデータ記憶制御手段と、
　前記第２の記憶領域を選択する選択手段と、
　前記選択手段によって選択された前記第２の記憶領域に記憶された画像データを、当該第２の記憶領域に対して前記順序設定手段で設定された順序により出力する出力手段と、
　を備えた画像データ出力装置。
　　【請求項２】
　画像データに属性情報を付加する付加手段をさらに備えたことを特徴とする、請求項１に記載の画像データ出力装置。
　　【請求項３】
　前記第１のデータ記憶制御手段により記憶させるべき第１の記憶領域が複数存在すると判断された場合には、前記画像データを複製して、該当する第１の記憶領域のそれぞれに記憶させることを特徴とする、請求項１または２に記載の画像データ出力装置。
　　【請求項４】
　前記各第１の記憶領域に対応して前記第２の記憶領域が複数個存在し、
　各第２の記憶領域には、前記順序設定手段によりそれぞれ異なる順序が設定されていることを特徴とする、請求項１乃至３のいずれか１項に記載の画像データ出力装置。
　　【請求項５】
　前記出力手段により画像データが出力されると、当該出力された前記第２の記憶領域に記憶された画像データを消去する消去手段をさらに備えたことを特徴とする、請求項１乃至４のいずれか１項に記載の画像データ出力装置。
　　【請求項６】
　前記消去手段は、さらに、当該出力された第２の記憶領域に記憶された画像データの取得元である第１の記憶領域に記憶された画像データも消去することを特徴とする、請求項５に記載の画像データ出力装置。
　　【請求項７】
　出力された画像データを記憶する出力済みデータ記憶領域と、
　前記出力手段により画像データが出力されると、当該出力された前記第２の記憶領域に記憶された画像データを前記出力済みデータ記憶領域に移動させる移動手段と、
　をさらに備えたことを特徴とする、請求項１乃至４のいずれか１項に記載の画像データ出力装置。
　　【請求項８】
　前記第２のデータ記憶制御手段による前記第１の記憶領域からの画像データの取得が、前記第１の記憶領域に画像データが記憶されたことを契機として行なわれることを特徴とする、請求項１乃至７のいずれか１項に記載の画像データ出力装置。
　　【請求項９】
　前記第２のデータ記憶制御手段による前記第１の記憶領域からの画像データの取得が、出力手段による出力時に行なわれることを特徴とする、請求項１乃至７のいずれか１項に記載の画像データ出力装置。
　　【請求項１０】
　前記出力手段により画像データを出力する時間を設定する出力時間設定手段をさらに備え、
　前記出力手段は、前記出力時間設定手段により設定された時間に画像データを出力することを特徴とする、請求項１乃至９のいずれか１項に記載の画像データ出力装置。
　　【請求項１１】
　入力された画像データの属性情報を取得する第１のデータ情報取得手段と、
　画像データを記憶する複数の第１の記憶領域と、
　第１の記憶領域のそれぞれに対して、画像データを仕分けして記憶するための仕分け特性を設定する設定手段と、
　前記入力された画像データを、前記第１のデータ情報取得手段により取得された属性情報に基づいて、属性情報に対応する前記仕分け特性が設定された第１の記憶領域に記憶させる第１のデータ記憶制御手段と、
　各第１の記憶領域に記憶された画像データを識別するための識別情報を前記各第１の記憶領域に対応して記憶する第２の記憶領域と、
　前記第２の記憶領域に対して、画像データを出力する順序を設定する順序設定手段と、
　前記第１の記憶領域に記憶された画像データの、前記順序設定手段による設定に対応する属性情報を取得する第２のデータ情報取得手段と、
　前記第１の記憶領域に記憶された画像データについて、当該画像データを識別するための識別情報を取得し、当該識別情報を、前記第２のデータ情報取得手段の取得した属性情報に基づいて、前記順序設定手段により設定された順序に対応させて前記第２の記憶領域に記憶させる第２のデータ記憶制御手段と、
　前記第２の記憶領域を選択する選択手段と、
　前記選択手段によって選択された前記第２の記憶領域に記憶された識別情報に基づいて、当該第２の記憶領域に対して前記順序設定手段で設定された順序により第１の記憶領域から画像データを取得して出力する出力手段と、
　を備えた画像データ出力装置。
　　【請求項１２】
　入力された画像データの属性情報を取得する第１のデータ情報取得ステップと、
　画像データを記憶する複数の第１の記憶領域のそれぞれに対して、画像データを仕分けして記憶するための仕分け特性を設定する設定ステップと、
　前記入力された画像データを、前記第１のデータ情報取得ステップにより取得された属性情報に基づいて、属性情報に対応する前記仕分け特性が設定された第１の記憶領域に記憶させる第１のデータ記憶制御ステップと、
　各第１の記憶領域に記憶された画像データを前記各第１の記憶領域に対応して記憶する第２の記憶領域に対して、画像データを出力する順序を設定する順序設定ステップと、
　前記第１の記憶領域に記憶された画像データの、前記順序設定ステップによる設定に対応する属性情報を取得する第２のデータ情報取得ステップと、
　前記第１の記憶領域から画像データを取得し、当該画像データを、前記第２のデータ情報取得ステップの取得した属性情報に基づいて、前記順序設定ステップにより設定された順序に対応させて前記第２の記憶領域に記憶させる第２のデータ記憶制御ステップと、
　前記第２の記憶領域を選択する選択ステップと、
　前記選択ステップによって選択された前記第２の記憶領域に記憶された画像データを、当該第２の記憶領域に対して前記順序設定ステップで設定された順序により出力する出力ステップと、
　を備えた画像データ出力方法。
　　【請求項１３】
　入力された画像データの属性情報を取得する第１のデータ情報取得ステップと、
　画像データを記憶する複数の第１の記憶領域のそれぞれに対して、画像データを仕分けして記憶するための仕分け特性を設定する設定ステップと、
　前記入力された画像データを、前記第１のデータ情報取得ステップにより取得された属
性情報に基づいて、属性情報に対応する前記仕分け特性が設定された第１の記憶領域に記憶させる第１のデータ記憶制御ステップと、
　各第１の記憶領域に記憶された画像データを前記各第１の記憶領域に対応して記憶する第２の記憶領域に対して、画像データを出力する順序を設定する順序設定ステップと、
　前記第１の記憶領域に記憶された画像データの、前記順序設定ステップによる設定に対応する属性情報を取得する第２のデータ情報取得ステップと、
　前記第１の記憶領域から画像データを取得し、当該画像データを、前記第２のデータ情報取得ステップの取得した属性情報に基づいて、前記順序設定ステップにより設定された順序に対応させて前記第２の記憶領域に記憶させる第２のデータ記憶制御ステップと、
　前記第２の記憶領域を選択する選択ステップと、
　前記選択ステップによって選択された前記第２の記憶領域に記憶された画像データを、当該第２の記憶領域に対して前記順序設定ステップで設定された順序により出力する出力ステップと、
　をコンピュータに実行させる画像データ出力プログラム。　」
　
２．引用刊行物
　
　拒絶査定の理由は特許法第２９条第２項によるものであり、拒絶理由通知書において２の刊行物が提示されており、夫々には次の如き発明が記載されている。
　
　刊行物１：特開平１１−６５７８４号公報
　印刷処理を実行する際に、操作者は印刷データに付属する属性を選択指定することにより印刷順序の設定を行う。その後、操作者が選択指定した前記属性データに基づき印刷を実行する印刷システムおよび印刷方法。
　
　刊行物２：特開２００１−３６７００号公報
　発信元の電話番号に対応する名称を取得し、発信元の名称と同じ名称のフォルダに受信ファクシミリ情報をファイルとして格納する情報処理方法及び通信端末装置。
　
３．当審の判断　
　
（１）本願発明の要旨
　
　本願請求項１に係る発明は、予めデータ仕分けの特性を設定するための設定ファイルが付与されている複数のデータ仕分けボックスである第１の記憶領域と、予めデータ並べ替え順の特性が設定された第２の記憶領域を備え、
　入力画像データを仕分けして第１の記憶領域に格納し、仕分けされた画像データについて第２の記憶領域に基づいて出力順序を決定して出力する画像データ出力装置である。
　
　具体的には、データが入力されると、第１のデータ取得部６が、各入力データから
１．受信先
２．送信元
３．ファイルの種類(excel,pdf,mail,...)
４．ファイル名称
　・・・
N．.送信元Email
　等の情報を取得し、次に、データ仕分け部７が、該取得した情報に基づいてデータ仕分けを行い、そして、
１．受信ユーザ個人毎のBOX
２．送信元毎のBOX
３．ファイルの種類毎のBOX(excel,pdf,mail,....)
４．ファイル名称毎のBOX
　　・・・
N．送信元毎EMail BOX
　等の各データ仕分けボックス８は、該仕分けられたデータを、データ仕分けボックス８に予め付与されている設定ファイルの定義に基づいて自動的に第１の記憶領域に格納し、
  そして、第２のデータ取得部９が、第１の記憶領域の各領域に格納した画像データに対して
１．更新日順並べ替えBOX
２．受信日時順並べ替えBOX
３．ファイル作成日時順並べ替えBOX
４．ファイル名順並べ替えBOX
５．ファイルサイズ順並べ替えBOX
　等の並べ替えに関する条件を取得し、
　そして、データ並べ替え部が予め設定されている条件でデータの順番を並べ替え、並べ替えられた画像データを第２のデータ記憶領域に予め記憶しておくものであり、請求項１１に係る発明は並べ替えのための識別情報を第２のデータ記憶領域に予め記憶しておくものであって、
　これにより、画像データを出力する際には並べ替え順序を指定することなく、第２の記憶領域を選択することによって、第２の記憶領域の内容に基づいた並べ替えの順序で自動的に画像データを出力（例えば印刷）するものである。
　
　また、請求項１１に係る発明は、この変形であって、第２の記憶領域には並べ替えのための識別情報が記憶され、画像データ自体は第１の記憶領域に格納されているデータを出力するものである。
　そして、請求項１２および１３に係る発明は請求項１とカテゴリーが異なるもので、実質的な内容を請求項１に係る発明と一にするものである。
　
（２）本願発明と引用刊行物に記載の発明との対比
　　
　対して、刊行物１（特開平１１−６５７８４号公報）に記載の発明は、印刷処理を実行する際に、ユーザが、印刷順序の設定を行い、その設定に基づいて並べ替えられた順序に従って印刷を実行するものであるが、そこには、(1)データが入力された以後は、入力データの自動的仕分け、仕分けられたデータの該当する仕分けBOXへの自動的格納、指定された並べ替えに従い選択された並べ替えBOXにおける自動展開、そして前記並べ替えBOXにおいて並べ替えられたデータの順序づけられた自動的印刷を、システムが自律的かつ自動的にユーザの介入を必要とすることなく実行することの記載はない。
　また、そこには、(2)フォルダにどの様な規則でデータを格納するかの記載はない。
　更にそこには、(3)１つの入力データの種類が「excelファイル」であり、かつそのファイル名称が「議事録」であるとき、その入力データは、「excel フォルダ」と「議事録 フォルダ」の両フォルダに同時に格納されることの記載もないものである。
　すなわち、刊行物１には、本願発明を特定する次の要件
（ア）「第１の記憶領域のそれぞれに対して、画像データを仕分けして記憶するための仕分け特性を設定する設定手段」
（イ）「前記入力された画像データを、前記第１のデータ情報取得手段により取得された属性情報に基づいて、属性情報に対応する前記仕分け特性が設定された第１の記憶領域に記憶させる第１のデータ記憶制御手段」
（ウ）「前記第１の記憶領域に記憶された画像データを記憶する第２の記憶領域と、前記第２の記憶領域に対して、画像データを出力する順序を設定する順序設定手段」
（エ）「前記第１の記憶領域に記憶された画像データの、前記順序設定手段による設定に対応する属性情報を取得する第２のデータ情報取得手段」
（オ）「前記第１の記憶領域から画像データを取得し、当該画像データを、前記第２のデータ情報取得手段の取得した属性情報に基づいて、前記順序設定手段により設定された順序に対応させて前記第２の記憶領域に記憶させる第２のデータ記憶制御手段」
　が記載されていない。
　したがって、刊行物１に記載のフォルダは、データの仕分けをしているものではあるが、本願発明の仕分けBOXには相当しない。
　
　そして、刊行物２（特開２００１−３６７００号公報）に記載された発明は、発信元の電話番号に対応する名称を取得し、発信元の名称と同じ名称のフォルダに受信ファクシミリ情報をファイルとして格納するファクシミリ装置が開示されているのみであって、引用例２に記載されたフォルダは、予めデータ仕分けの特性を設定するための設定ファイルが付与されているものではないから、本願発明の「予めデータ仕分けの特性を設定するための設定ファイルが付与されている複数のデータ仕分けボックス８」に相当するとは言えない。
　
（３）周知技術に対しての検討
　
　引用刊行物には対応する構成の記載はされていないが、本願発明の第２の記憶領域が通常のデータ処理装置に普通に用いられているワークエリアに該当するか否かの検討が必要である。
　本願発明の第２の記憶領域、すなわち、予めデータ並べ替え順の特性を設定するための設定ファイルが付与されている複数のデータデータ並べ替えボックス１１が構成されている記憶領域は、システムが予め主記憶上に予約してあるシステム専用の記憶領域であって、システム以外のものはアクセスを禁止されているプロテクト領域である。
　この点は、第１の記憶領域（予めデータ仕分けの特性を設定するための設定ファイルが付与されている複数のデータ仕分けボックスが構成されている記憶領域）が、システム以外のものはアクセスを禁止されているプロテクト領域であるという点で同じである。
　もし、第１および第２の記憶領域に対し、他の者のアクセルを許容すると、仕分けBOXへ格納された原データおよび並べ替えBOXに於いて並べ変えられたデータは破壊されてしまうことになる。
　然るに、通常のワークエリアの定義は、システムが予約したプロテクトエリアではなく、第３者が自由にアクセスできる主記憶上の記憶エリアであるから、本願発明の第２の記憶領域は通常のワークエリアに相当しないことになる。
　すなわち、本願発明における第２の記憶領域は、通常のワークエリアに相当するものであることにはならない。
　したがって、刊行物１に記載の発明が、通常のデータ処理装置の如く、印刷のためのワークエリアとしてメモリに領域が存在しているものとしても、このワークエリアを本願発明の第２の記憶領域に相当するものと解することはできない。
　
（４）まとめ
　
　そういう次第であるから、本願請求項１および１１〜１３に係る発明は、刊行物１に記載された発明および刊行物２に記載された発明に基づいて当業者が容易に発明をすることができたものとすることはできない。
　そして、残る請求項２〜１０に係る発明は、請求項１に係る発明を引用する実施態様であるから、これら請求項に係る発明も、刊行物１に記載された発明および刊行物２に記載された発明に基づいて当業者が容易に発明をすることができたものとすることはできないことは明らかである。
　
　また、他に拒絶の理由を発見しない。
　
　よって、結論のとおり審決する。